(57)【要約】【課題】壁面に対するパネルの間隔が少なくなり、そのため壁面に対するパネルの近接した姿勢が得られるパネルの壁掛け金具を提供する。【解決手段】壁面に対して巾下半が差しピンと取付ビスとの両方又は一方により固着される薄型のレール状押出形材からなる掛止金具と、パネルの裏面に固着して取り付けられることにより前記掛止金具の両端部にそれぞれ掛け止められる左右一対の被着金具とからなり、そのうち、掛止金具は、巾下半が前記差しピン等により壁面に対する固着部であり、これに連設される巾上半が被着金具を差し込む間隙溝が生じるよう壁面に対する離反部片として浮き上げに形成され、被着金具は、パネルの裏面にビス止めする取付片と前記間隙溝に差し込む係合片とが段差において平行面であり且つ外角側が掛止金具の端の外側となるL字形の連結形状であり、間隙溝内における係合片の壁面との面接合により、壁面に対するパネルの平行対面が保持されるよう構成した。【選択図】    図１
2015025882.tif 000002
【特許請求の範囲】
【請求項１】
壁面に対して巾下半が差しピンと取付ビスとの両方又は一方により固着される薄型のレール状押出形材からなる掛止金具と、パネルの裏面に固着して取り付けられることにより前記掛止金具の両端部にそれぞれ掛け止められる左右一対の被着金具とからなり、そのうち、掛止金具は、巾下半が前記差しピン等により壁面に対する固着部であり、これに連設される巾上半が被着金具を差し込む間隙溝が生じるよう壁面に対する離反部片として浮き上げに形成され、被着金具は、パネルの裏面にビス止めする取付片と前記間隙溝に差し込む係合片とが段差において平行面であり且つ外角側が掛止金具の端の外側となるL字形の連結形状であり、間隙溝内における係合片の壁面との面接合により、壁面に対するパネルの平行対面が保持されるよう構成したことを特徴とするパネルの壁掛け金具。
【請求項２】
係合片には、外角側の端に細ネジを螺入するネジ孔付きの屈折縁が掛止金具の端に対面するよう設けられ、掛止金具には、上がり止めを目的とする突条が、壁面に係合片を押え止める高さに形成されていることを特徴とする請求項１記載のパネルの壁掛け金具。
【請求項３】
掛止金具は、レール状の中間部が欠除され、両端部からなることを特徴とする請求項１又は２記載のパネルの壁掛け金具。
【発明の詳細な説明】
【技術分野】
【０００１】
この発明は、展示用のパネル（額縁を含む）を壁面に近接して固着するために使用するパネルの壁掛け金具に関する。
【背景技術】
【０００２】
従来、パネルや額縁を壁掛けするには、壁にその受け金具と、紐掛けフックとを突設し、受け金具に支持された状態において、額縁が紐で前傾斜に支持される。しかし、これでは、受け金具やフック、紐のような壁掛けの仕組みや手段が丸見えとなり不体裁であった。また、パネルが傾斜に伴い凸となるので、スマートさの観点からみても不利であった。
【０００３】
この点については、展示機能からみると、壁面に沿ってすっきりスマートに均一空間が生じていること（商業的空間と称することとする）が望ましい。しかし、従来では、壁面からの傾斜凸の姿勢が、この現代風な商業的空間を取る上で障碍となっていた。
【０００４】
一方、最近では、パネルの上部裏面に仕掛けが見えないよう引っ掛け具を用いた掛止手段がとられることが多い。これによると、壁面に溝金具を、パネルの両端にその溝に掛かる係合金具を取り付け、溝金具に係合金具を引っかけることにより、パネルが壁面にほゞ垂直になるように取付けられる。
【０００５】
従来、このようにして、溝金具と係合金具との組み合せ構造により傾斜凸の状態は避けることができたが、その組合せの重ね構造で厚みが生じ、その厚みで壁面に対してパネルが凸と見え、そのため壁面に対してパネルが近接することによる現代風の商業的空間を実現することが困難であった。
【発明の概要】
【発明が解決しようとする課題】
【０００６】
この発明は、上記のような実情に鑑みて、壁面に対するパネルの間隔が少なくなり、そのため壁面に対するパネルの近接した姿勢が得られるパネルの壁掛け金具を提供することを課題とした。
【課題を解決するための手段】
【０００７】
上記の課題を解決するために、この発明は、壁面に対して巾下半が差しピンと取付ビスとの両方又は一方により固着される薄型のレール状押出形材からなる掛止金具と、パネルの裏面に固着して取り付けられることにより前記掛止金具の両端部にそれぞれ掛け止められる左右一対の被着金具とからなり、そのうち、掛止金具は、巾下半が前記差しピン等により壁面に対する固着部であり、これに連設される巾上半が被着金具を差し込む間隙溝が生じるよう壁面に対する離反部片として浮き上げに形成され、被着金具は、パネルの裏面にビス止めする取付片と前記間隙溝に差し込む係合片とが段差において平行面であり且つ外角側が掛止金具の端の外側となるL字形の連結形状であり、間隙溝内における係合片の壁面との面接合により、壁面に対するパネルの平行対面が保持されるよう構成したことを特徴とするパネルの壁掛け金具を提供する。
【０００８】
パネルの壁掛け金具を上記のように構成したから、壁面に掛止金具を水平に取り付けると、巾上半が離反部片であるので、その内側に壁面との間の間隙溝が生じる。そこで、パネルには裏面に左右一対の被着金具を取り付けた状態において、その係合片を間隙溝に差し込むだけで、安定した取付けが完了し、パネルが壁面との間に薄い被着金具が介在することで、その全体的な厚みだけの突出の少ない近接状態が得られる。
【発明の効果】
【０００９】
以上説明したように、この発明のパネルの壁掛け金具によれば、パネルの壁掛け作業が容易で迅速になし得ることはもちろん、壁面に対するパネルの間隔が、被着金具単独の厚みと等しくなるので、被着金具の形状を薄くすることで、壁面に対するパネルの接近を容易に図ることができ、壁面とほゞ平行で引っ込んだ取付け状態となるため、スマートな商業的空間の実現を図る上で顕著な効果を発揮するという優れた効果がある。
【図面の簡単な説明】
【００１０】
【図１】この発明のパネルの壁掛け金具を分解し壁掛け要領で示す斜視図である。
【図２】同壁掛け状態を一部切り欠いて示す正面図である。
【図３】図２のA−A線矢視の拡大断面図である。
【図４】B−B線矢視において被着金具を示す拡大断面図である。
【図５】他の実施例を示す図２に対応する正面図である。
【発明を実施するための形態】
【００１１】
この発明のパネルの壁掛け金具Fは、横レール状の掛止金具１とそれに掛け止める一対の被着金具３，３とからなるものである。なお、レール方向でパネルPに傾きが出た場合の調整のため、ビスまたはピンの通し孔を長穴にすることもある。また、係合片２５に丸孔２９を設けておけば、吊紐掛けに両孔２９，２９を使用できる。
【００１２】
パネルPには額縁が含まれるが、フレームにより枠組みされた額縁の場合であると、その左右両端の縦フレームに裏側で被着金具３，３がビス止めして取り付けられる。
【実施例１】
【００１３】
図１ないし図４は、一実施例を示したもので、そのパネルの壁掛け金具Fは、壁面Wに密着して横長のレール状に固定する薄型の掛止金具１と、パネルPの裏面に固着して掛止金具１に掛け止める左右一対の被着金具３，３とからなる。
【００１４】
掛止金具１は、水平な位置出しがしやすい長尺であって、パネルPの幅の両端部間に隠れる長さで、断面形状については、薄い帯板状であるとともに、巾下半が壁面Wに対する取付け固定部５であり、巾上半が壁面Wから離反することによりそれとの間に間隙溝７が生じる形状である。つまり、間隙溝７は、巾上半の離反部片８が壁面Wとの対面関係で生じる。
【００１５】
巾下半の固定部５については、石膏ボート用の差しピン１０又は取付ビス１１の両方又は一方を選択的に使用できる。ここには、下部に壁面Wに対する密着面５aが設けられ、取付ビス１１を通す通し孔１３，１３、・・の穿設位置に沿って予め位置決めの細溝９が設けられる。また、密着面５aに連してV字形の山形部５ｂを設け、山形部５ｂの上斜面に差しピン１０の通し孔１２，１２、・・が耐荷重の観点から斜め差し可能に設けられる。
【００１６】
巾下半ではさらに、山形部５ｂに連してそれから高くなる傾斜部１５を設けることにより、巾上半が前記壁面Wに対する離反部片８として形成される。また、壁面Wとの間隙溝７が安定して保持されるように、離反部片８の下端部に壁面Wに突きあたる内突条１７を突設し、これがリブ形状として三角断面に形成される。
【００１７】
離反部片８には、高さ中間部内面に上がり止めを目的とした突条１９が突設される。しかし、壁面Wとの間に被着金具３を通し得るように低く形成されている。
【００１８】
被着金具３は、パネルPの裏面に取り付けられるものであって、パネルPに密着してビス２１、２１で止められる取付片２３と、前記間隙溝７に差し込む係合片２５とが、金属板にプレス加工を施すことにより一体化して成形され、取付片２３の上端と係合片２５の一側下端との間に連結部２７を有する。そして、取付片２３と係合片２５とは連結部２７を介して段差Dを有する互いに平行面であって、全体的に正面から見るとL字形の位置関係にある。
【００１９】
取付片２３には、ビス２１，２１でパネルPに固着するための通し孔３５、３５が設けられ、パネルPにはその螺入孔３２，３２が形成される。また、係合片２５は、横長の矩形であって、その基端には取付片２３の位置よりも低い屈折縁片３０が突設され、これには細ネジ３１を係合片２５と平行に螺入するネジ孔３３が設けられる。この細ネジ３１は、掛止金具１の突条１９に掛止するために、予め係合片２５に浅く螺着されている。
【００２０】
図２および図３は、パネルPの壁掛け状態を示したもので、予め壁面Wに掛止金具１を取り付けておけば、パネルPに備えた左右一対の被着金具３、３の係合片２５，２５を離反部片８の裏側の広口の間隙溝７に差し入れるだけで掛け止めることができ、しかも、係合片２５，２５が突条１９により壁面Wに押え止められる体勢となる。
【００２１】
壁面Wに対するパネルPの間隔は、被着金具３の全体的厚み（段差D）による。この厚みは設計的に極力小さくできる。また、細ネジ３１を突条１９に掛止することにより、外れないように掛止状態を保持できると共に、上がり止めがなされる。なお、パネルPの下端部においては、壁面Wに対して同じ間隔Dが保持されるよう枕状高さ保持片３５が介在される。
【実施例２】
【００２２】
図５は、基本的構造は上記実施例と同じであるが、言わばレール状押出形材の両端部１a、１aのみを使用することにより材料の節約を図った。つまり、上記実施例に対して掛止金具１の中間部を欠除し、欠除部２を有する違いがある。
【符号の説明】
【００２３】
F  パネルの壁掛け金具
P  パネル
W  壁面
１  掛止金具
２  欠除部
３  被着金具
５  固定部
７  間隙溝
８  離反部
１０  差しピン
１１  取付ビス
１９  突条
２１  ビス
２３  取付片
２５  係合片
２７  連結部
３０  屈折縁
３１  細ネジ
D  段差
【図１】
2015025882.tif 000003
【図２】
2015025882.tif 000004
【図３】
2015025882.tif 000005
【図４】
2015025882.tif 000006
【図５】
2015025882.tif 000007